【手続補正書】
【提出日】令和3年6月17日(2021.6.17)
【手続補正１】
【補正対象書類名】特許請求の範囲
【補正対象項目名】全文
【補正方法】変更
【補正の内容】
【特許請求の範囲】
【請求項１】
判定を行う判定手段と、
前記判定手段の判定結果に基づいて特典を付与しうる特典付与手段と、
遊技者による操作を受ける操作受け部が設けられた操作手段と、
操作機会が付与される受付許容期間を発生可能であり、該受付許容期間において操作受付がなされると受付後変化を発生可能な操作受付手段と、
前記操作受け部を摸した摸画像表示を所定の表示画面に表示可能な摸画像表示手段と
を備え、
前記受付許容期間は、
当該受付許容期間内で前記操作受付がなされないとき、該操作受付がなされたときと同じ受付後変化を発生させる自動受付態様で実行される場合と、該操作受付がなされたときと同じ受付後変化を発生させない非自動受付態様で実行される場合とがあり、
さらに、
前記受付許容期間として、第１受付許容期間及び第２受付許容期間を含む複数の受付許容期間が用意されており、
前記第１受付許容期間は、当該第１受付許容期間内で前記操作受付がなされないとき、該操作受付がなされたときと同じ受付後変化を発生させる自動受付態様で実行されるものであり、前記第１受付許容期間が発生して前記摸画像表示が表示されているなかで前記操作受付がなされると、該操作受付に応じた受付後変化が発生して当該第１受付許容期間が終了されるとともに前記摸画像表示が視認し難くなる第１表示態様が現れるようになっており、
前記第２受付許容期間は、当該第２受付許容期間内で前記操作受付がなされないとき、該操作受付がなされたときと同じ受付後変化を発生させない非自動受付態様で実行されるものであり、前記第２受付許容期間が発生して前記摸画像表示が表示されているなかで前記操作受付がなされると、該操作受付に応じた受付後変化が発生して当該第２受付許容期間が終了されるとともに前記摸画像表示が視認し難くなる第２表示態様が現れるようになっており、
前記第１受付許容期間内で前記操作受付がなされずに当該第１受付許容期間が終了したが該操作受付がなされたときと同じ受付後変化が現れる場合、該受付後変化が発生する時点で前記第１表示態様は現れておらずこれよりも後のタイミングで現れるようになっており、
さらに、
前記摸画像表示を表示するときの態様として第１態様及び第２態様が少なくとも用意されており、
遊技者に対して操作機会が付与されているときに前記摸画像表示が前記第１態様で表示されている場合は、前記操作受付がなされないときに該操作受付がなされたときと同じ受付後変化を発生させる受付許容期間が必ず発生している状況下にあり、
遊技者に対して操作機会が付与されているときに前記摸画像表示が前記第２態様で表示されている場合は、前記操作受付がなされないときに該操作受付がなされたときと同じ受付後変化を発生させる受付許容期間が発生している状況下にある場合と前記操作受付がなされないときに該操作受付がなされたときと同じ受付後変化を発生させない受付許容期間が発生している状況下にある場合との両方があるようになっており、
さらに、
前記受付許容期間が発生するよりも前に表示される前演出表示として第１前演出表示が表示される場合と第２前演出表示が表示される場合とが少なくともあり、
前記第１前演出表示が表示される場合は、該第１前演出表示に対応する前記受付許容期間として、前記操作受付がなされないときに該操作受付がなされたときと同じ受付後変化を発生させる受付許容期間が必ず発生する状況下にあり、
前記第２前演出表示が表示される場合は、該第２前演出表示に対応する前記受付許容期間として、前記操作受付がなされないときに該操作受付がなされたときと同じ受付後変化を発生させる受付許容期間が発生する状況下にある場合と前記操作受付がなされないときに該操作受付がなされたときと同じ受付後変化を発生させない受付許容期間が発生する状況下にある場合との両方がある
ことを特徴とする遊技機。
【手続補正２】
【補正対象書類名】明細書
【補正対象項目名】０００５
【補正方法】変更
【補正の内容】
【０００５】
このような従来の遊技機では、遊技興趣が低下することが懸念される。
【手続補正３】
【補正対象書類名】明細書
【補正対象項目名】０００７
【補正方法】変更
【補正の内容】
【０００７】
手段１：判定を行う判定手段と、
前記判定手段の判定結果に基づいて特典を付与しうる特典付与手段と、
遊技者による操作を受ける操作受け部が設けられた操作手段と、
操作機会が付与される受付許容期間を発生可能であり、該受付許容期間において操作受付がなされると受付後変化を発生可能な操作受付手段と、
前記操作受け部を摸した摸画像表示を所定の表示画面に表示可能な摸画像表示手段と
を備え、
前記受付許容期間は、
当該受付許容期間内で前記操作受付がなされないとき、該操作受付がなされたときと同じ受付後変化を発生させる自動受付態様で実行される場合と、該操作受付がなされたときと同じ受付後変化を発生させない非自動受付態様で実行される場合とがあり、
さらに、
前記受付許容期間として、第１受付許容期間及び第２受付許容期間を含む複数の受付許容期間が用意されており、
前記第１受付許容期間は、当該第１受付許容期間内で前記操作受付がなされないとき、該操作受付がなされたときと同じ受付後変化を発生させる自動受付態様で実行されるものであり、前記第１受付許容期間が発生して前記摸画像表示が表示されているなかで前記操作受付がなされると、該操作受付に応じた受付後変化が発生して当該第１受付許容期間が終了されるとともに前記摸画像表示が視認し難くなる第１表示態様が現れるようになっており、
前記第２受付許容期間は、当該第２受付許容期間内で前記操作受付がなされないとき、該操作受付がなされたときと同じ受付後変化を発生させない非自動受付態様で実行されるものであり、前記第２受付許容期間が発生して前記摸画像表示が表示されているなかで前記操作受付がなされると、該操作受付に応じた受付後変化が発生して当該第２受付許容期間が終了されるとともに前記摸画像表示が視認し難くなる第２表示態様が現れるようになっており、
前記第１受付許容期間内で前記操作受付がなされずに当該第１受付許容期間が終了したが該操作受付がなされたときと同じ受付後変化が現れる場合、該受付後変化が発生する時点で前記第１表示態様は現れておらずこれよりも後のタイミングで現れるようになっており、
さらに、
前記摸画像表示を表示するときの態様として第１態様及び第２態様が少なくとも用意されており、
遊技者に対して操作機会が付与されているときに前記摸画像表示が前記第１態様で表示されている場合は、前記操作受付がなされないときに該操作受付がなされたときと同じ受付後変化を発生させる受付許容期間が必ず発生している状況下にあり、
遊技者に対して操作機会が付与されているときに前記摸画像表示が前記第２態様で表示されている場合は、前記操作受付がなされないときに該操作受付がなされたときと同じ受付後変化を発生させる受付許容期間が発生している状況下にある場合と前記操作受付がなされないときに該操作受付がなされたときと同じ受付後変化を発生させない受付許容期間が発生している状況下にある場合との両方があるようになっており、
さらに、
前記受付許容期間が発生するよりも前に表示される前演出表示として第１前演出表示が表示される場合と第２前演出表示が表示される場合とが少なくともあり、
前記第１前演出表示が表示される場合は、該第１前演出表示に対応する前記受付許容期間として、前記操作受付がなされないときに該操作受付がなされたときと同じ受付後変化を発生させる受付許容期間が必ず発生する状況下にあり、
前記第２前演出表示が表示される場合は、該第２前演出表示に対応する前記受付許容期間として、前記操作受付がなされないときに該操作受付がなされたときと同じ受付後変化を発生させる受付許容期間が発生する状況下にある場合と前記操作受付がなされないときに該操作受付がなされたときと同じ受付後変化を発生させない受付許容期間が発生する状況下にある場合との両方がある
ことを特徴とする遊技機。
【手続補正４】
【補正対象書類名】明細書
【補正対象項目名】０００８
【補正方法】削除
【補正の内容】